(57)【特許請求の範囲】
【請求項１】
粘着テープが巻回された捲芯に装着されて用いられる収容ケースであって、
収容空間を有する中空状の収容体と、前記収容体の開口部を開閉可能に覆う蓋体と、を備え、前記収容体は前記捲芯に内嵌され、
前記収容体の外周面には、その外端部から径方向外方へ張り出す第１フランジ部が設けられ、
前記蓋体の外周面には、その外端部から径方向外方へ張り出す第２フランジ部が設けられ、
前記収容体は、前記捲芯に挿入される第１筒部を有し、前記第１筒部には第１係止爪が設けられ、
前記蓋体は、前記捲芯に挿入される第２筒部を有し、前記第２筒部には前記第１係止爪と係止する第２係止爪が設けられ、
前記第１係止爪に前記第２係止爪を係止させることにより前記収容体と前記蓋体とが取り外し可能に連結されることを特徴とする収容ケース。
【請求項２】
粘着テープが巻回された捲芯に装着されて用いられる収容ケースであって、
前記捲芯に内嵌される筒体と、
前記筒体の両側開口部を開閉可能に覆う一対の蓋体と、を備え、
前記筒体の両側開口端には第１係止爪が設けられ、
前記一対の蓋体の各々の外周面には、径方向外方へ張り出すフランジ部と、前記第１係止爪と係止する第２係止爪と、が設けられていることを特徴とする収容ケース。
【請求項３】
前記一対の蓋体の各々は、前記捲芯に挿入される筒部を有し、前記第２係止爪は前記筒部に設けられ、前記第１係止爪に前記第２係止爪を係止させることにより前記蓋体が前記筒体に取り外し可能に連結されることを特徴とする請求項２に記載の収容ケース。
【請求項４】
粘着テープが巻回された捲芯に装着されて前記捲芯と共に収容空間を規定するケース部品であって、
前記捲芯の軸方向両端に装着されて前記捲芯の開口部を覆う第１蓋部材及び第２蓋部材を備え、
前記第１及び第２蓋部材の各々は、前記捲芯に挿入される環状の挿入部と、前記挿入部から径方向外方へ延出するフランジ部と、を有し、
前記第１蓋部材の前記挿入部の外周面先端部には径方向外方に向けて突出する突出部が設けられ、
前記第１蓋部材の前記挿入部の先端部には周方向に間隔を空けて複数の切り欠き部が形成されていることを特徴とするケース部品。
【発明の詳細な説明】
【技術分野】
【０００１】
本発明は、粘着テープの捲芯に装着されて用いられる収容ケース及びケース部品に関する。
【背景技術】
【０００２】
先の阪神淡路大震災の際には、震災後のボランティア活動等を行うに際してガムテープが大いに役立った。例えば、ガムテープにメッセージを記載して家の玄関ドア等に貼付しておけば、ガムテープをメッセージボードとして利用することができ、物品を貼り合わせるというガムテープ本来の利用形態の他にも、種々の利用方法が発見された。一方、壁面の材質等によってはガムテープが貼り付かず、このような場合には接着剤が役立った。このような経験から、災害時においてはガムテープ等の粘着テープと共に、油性ペンや接着剤等の文房具類を携帯することが役に立つことが分かった。そして、このような文房具類や小さな工具類を携帯するものとして、種々の携帯用小物ケースが提案されている（例えば、特許文献１参照）。そこで、実際の作業時においてはこのような携帯用小物ケースに粘着テープや文房具等を収容して持ち運ぶことが考えられる。
【先行技術文献】
【特許文献】
【０００３】
【特許文献１】実用登録第３０３９４０４号
【発明の概要】
【発明が解決しようとする課題】
【０００４】
しかしながら、災害時においては必要最低限の物品を持ち運ぶだけで精一杯であり、文房具類の携帯もできる限りコンパクトにしたいという要望がある。この点、従来の収容方法では荷物が嵩張ってしまうという問題があった。また、従来の携帯用小物ケースを用いた場合には、粘着テープと文房具類とがバラバラになってしまい、実際に使用する際においてペン等が見当たらないといった問題も考えられる。
【０００５】
本発明は、粘着テープの捲芯に装着されて用いられる収容ケース及びケース部品の提供を目的とする。
【課題を解決するための手段】
【０００６】
本発明の収容ケースは、粘着テープが巻回された捲芯に内嵌されて用いられるものであり、収容空間を有する中空状の本体と、前記本体の開口部を開閉可能に覆う蓋体と、を備え、前記本体は前記捲芯に内嵌されることを特徴とする。
また、本発明の収容ケースは、粘着テープが巻回された捲芯に装着されて用いられるものであって、前記捲芯に内嵌される筒体と、前記筒体の両側開口部を開閉可能に覆う一対の蓋体と、を備えることを特徴とする。
【００１３】
本発明のケース部品は、粘着テープが巻回された捲芯に装着されて前記捲芯と共に収容空間を規定するケース部品であって、前記捲芯の軸方向両端に装着されて前記捲芯の開口部を覆う一対の蓋部材を備え、前記一対の蓋部材の各々は、前記捲芯に挿入される挿入部と、前記挿入部から径方向外方へ延出するフランジ部と、を有することを特徴とする。
【発明の効果】
【００１５】
本発明の収容ケースによれば、粘着テープが巻回された捲芯に内嵌させることができるので、文房具類や工具類を収容させて、これらを常に粘着テープと共に持ち運ぶことができ、粘着テープを用いた作業時において収容ケースや文房具等が見当たらないという問題を回避できる。また、捲芯内部の空き空間を利用できるので、非常時持出袋等に入れて常備する場合においても場所を取らず、コンパクトに収容できる。
【００２２】
本発明のケース部品によれば、捲芯の軸方向両端に装着されて捲芯の開口部を覆う一対の蓋部材を備えるので、捲芯内部の空いた空間を収容部として活用でき、非常時持出袋等に入れて常備する場合においても場所を取らず、コンパクトに収容できる。また、蓋部材の各々はフランジ部を有するので、これらフランジ部が蓋部材を捲芯に装着する際にストッパとして機能し、蓋部材が所定量を超えて捲芯内部に挿入されるのを防止する。
【図面の簡単な説明】
【００２５】
【図１】粘着テープ巻回体と本発明の第１実施形態に係る収容ケースを示す斜視図であって、（ａ）は収容ケースが粘着テープ巻回体から取り外された状態を示し、（ｂ）は収容ケースが粘着テープ巻回体に内嵌された状態を示す。
【図２】図１（ａ）のＩＩ−ＩＩ線断面図。
【図３】図１に示す収容ケースの一部切欠き分解斜視図。
【図４】本発明の第２実施形態に係る収容ケースの断面図。
【図５】本発明の第３実施形態に係る収容ケースの斜視図。
【図６】図５のＶＩ―ＶＩ線断面図。
【図７】本発明の第４実施形態に係る収容ケースの断面図。
【図８】本発明の第５実施形態に係る収容ケースの斜視図。
【図９】図８のＩＸ―ＩＸ線断面図
【図１０】本発明の第６実施形態に係るケース部品の斜視図。
【図１１】図１０に示すケース部品の断面図。
【図１２】収容ケースが備える収容体の変形例を示す分解斜視図。
【図１３】収容ケースが有する指かけ凹部の変形例を示す図であり、（ａ）はその平面図、（ｂ）は（ａ）のＸＩＩＩｂ−ＸＩＩＩｂ線断面図。
【発明を実施するための形態】
【００２６】
［第１実施形態］
以下、添付図面を参照して、本発明の第１実施形態に係る収容ケースについて説明する。図１を参照して、図示の収容ケース１は、粘着テープ巻回体Ｔの捲芯Ｔ２に装着されて用いられるものであって、中空状の本体２と、本体２の開口部を開閉可能に覆う蓋体３と、を備えて構成されている。粘着テープ巻回体Ｔは、捲芯Ｔ２に粘着テープＴ３が巻回されたものである。図２及び図３をも参照して、本体２は、捲芯Ｔ２に内嵌される円筒状のスリーブ４と、スリーブ４に内嵌される収容体５と、を備える。
【００２７】
スリーブ４の外周面には軸方向Ｄ１（周方向Ｄ２に垂直な方向：後述する回転軸Ｃと平行な方向）に延びる複数の凸部４１（滑止手段）が周方向Ｄ２に間隔を空けて設けられている。このようにスリーブ４の外周面に滑止手段を設けることによって、スリーブ４が捲芯Ｔ２に対して周方向Ｄ２に回転するのが防止される。また、スリーブ４の内周面の軸方向Ｄ１略中央部位には、周方向Ｄ２に連続して延びる環状の係合凸部４２が突設されている。
【００２８】
収容体５は、内部に収容空間５１を規定する中空状の円筒部材であって、収容体５の外周面の軸方向Ｄ１略中央部位には、スリーブ４の係合凸部４２に係合する環状の係合凹部５２が設けられている。また、収容体５の外径はスリーブ４の内径よりも若干小さく設定されており、係合凸部４２を係合凹部５２に係合させるようにして収容体５がスリーブ４に内嵌される。これにより、収容体５はスリーブ４に対して周方向Ｄ２に回転自在とされると共に、係合凸部４２により収容体５がスリーブ４から脱落するのが防止される。
【００２９】
より具体的に、収容体５は、第１部材６と第２部材７とが軸方向Ｄ１に連結されて構成されている。第１部材６は円筒状の中空部材であって、その軸方向Ｄ１片側には蓋体３が設けられ、他側は開放されている。また、第１部材６の軸方向Ｄ１他側部位は幾分縮径されて段部６１を形成し、このように縮径された第１部材６の縮径部６２の周縁部には、径方向内側に突出する環状の係止凸部６３が設けられている。
【００３０】
第２部材７は、有底円筒状の中空部材であって、その軸方向Ｄ１片側は底板７２により閉塞され、他側は開放されている。第２部材７の軸方向Ｄ１他側周縁部には径方向内側に突出する環状のフランジ部７３が設けられ、フランジ部７３の先端には第２部材７の軸方向Ｄ１外方に延出する複数の係止片７４が設けられている。各係止片７４は、フランジ部７３から延出する基部７４ａと、基部７４ａから第２部材７の径方向外方に向かって突出する係止爪７４ｂと、を有する。
【００３１】
このように構成された収容体５をスリーブ４に内嵌させるには、第１部材６と第２部材７とをスリーブ４の両側から挿入し、スリーブ４内部において係止片７４を係止凸部６３に係止させればよい。このように係止片７４を係止凸部６３に係止させると、第１部材６の段部６１及び縮径部６２と第２部材７のフランジ部７３とによって上述した係合凹部５２が規定され、この係合凹部５２に係合凸部４２が収容された状態となり、収容体５がスリーブ４から脱落するのが防止される。また、このように第１部材６と第２部材７とを連結させることによって、第１部材６の内部空間と第２部材７の内部空間とが連通され、収容空間５１を形成する。
【００３２】
本実施形態においては、蓋体３は収容体５の第１部材６と一体に形成されている。即ち、蓋体３は第１部材６の軸方向Ｄ１片側に設けられた天板６５にＣ字状の切り込みを入れることにより形成され、切り残した部分に折り目を付けることで、その基端部３１を中心に収容空間５１を開放する開位置（図１（ｂ）に示す位置）と収容空間５１を閉塞する閉位置（図１（ａ）に示す位置）の間を回動可能に構成されている。
【００３３】
また、本実施形態においては蓋体３を閉位置にロックするためのロック機構が設けられている。具体的には、図２に示す様に蓋体３の先端部位には径方向に延びるスリット３２が形成され、このスリット３２には断面視横向きＨ字状のロック部材３３が挿通保持されている。このロック部材３３をスリット３２に沿って径方向外側にスライドさせて収容体５（第１部材６）のロック片６６に係止させることにより、蓋体３は閉位置にてロックされる。また、ロック部材３３をスリット３２に沿って径方向内側にスライドさせてロック片６６との係止を解除すると、閉位置における蓋体３のロックが解除される。
【００３４】
また、図１及び図３に示す様に、蓋体３の外面及び収容体５の底板７２の外面には、略半球状の指かけ凹部９,９が凹設されている。そして、図１（ｂ）に示す様に捲芯Ｔ２に収容ケース１が内嵌された状態で粘着テープＴ３を使用する場合には、一方の指かけ凹部９に親指を当て、他方の指かけ凹部９に人差し指や中指を当てて収容ケース１を保持し、この状態で粘着テープＴ３の先端Ｔ３０を引っ張って粘着テープＴ３を繰り出せばよい。即ち、上述したようにスリーブ４の外周面に設けられた複数の凸部４１によりスリーブ４の捲芯Ｔ２に対する回転が防止される一方で、スリーブ４に内嵌される収容体５はスリーブ４に対して回転自在に構成されているため、収容体５を把持して粘着テープＴ３の先端Ｔ３０を引っ張れば、スリーブ４が捲芯Ｔ２及び粘着テープＴ３の巻回体と共に収容体５に対して回転軸Ｃを中心に回転し、使用者は粘着テープ巻回体Ｔ又は収容ケース１を途中で持ち替えることなく連続して粘着テープＴ３を繰り出すことができる。また、指かけ凹部９,９に指を当てることにより、粘着テープＴ３を繰り出す際に指が滑るのを防止して、安定して収容ケース１を保持することができる。
【００３５】
なお、指かけ凹部９は、収容ケース１の径方向中心Ｃａよりも径方向外方に偏倚して設けるのが好ましい。これにより、比較的手の小さな使用者であっても、指かけ凹部９、９に指をかけて収容ケース１を把持することができる。
【００３６】
このように、本実施形態に係る収容ケース１は、粘着テープ巻回体Ｔの捲芯Ｔ２に嵌め込んで用いることができるので、収容ケース１に文房具類や工具類を収容させて常に粘着テー．プ巻回体Ｔと共に持ち運ぶことができ、粘着テープ巻回体Ｔと他の収容ケースとを別個に持ち運ぶ必要がない。よって、粘着テープＴ３を用いた作業時において収容ケースや文房具等が見当たらないといった不具合を回避できる。また、捲芯Ｔ２内の空間を有効利用して文房具等を収納できるため、非常時持出袋等に常備しておく際においても、コンパクトに収納できる。なお、収容ケース１に収容する文房具類や工具類としては、小型の油性ペンや短いチョーク、小型カッターやカミソリ刃、瞬間接着剤や２液式接着剤、小型ホチキス等が挙げられる。
【００３７】
また、本実施形態においては、滑止手段としての複数の凸部４１は、収容ケース１の軸方向Ｄ１に延びるように形成されていることから、スリーブ４の捲芯Ｔ２に対する回転が阻止される一方で、比較的にスムーズにスリーブ４（収容ケース１）を捲芯Ｔ２に嵌め込むことができる。更に、収容ケース１は既存の粘着テープ巻回体Ｔに対して着脱可能に内嵌されるため、粘着テープ巻回体Ｔを使い切った際には新たな粘着テープ巻回体Ｔへ容易に付け替えることができ、収容ケース１を繰り返し使用することができる。
【００３８】
［第２実施形態］
次に、図４を参照して、本発明の第２実施形態に係る収容ケース１Ａについて説明する。なお、各実施形態において実質同一の部材については同一の参照番号を付し、説明は省略する。
【００３９】
収容ケース１Ａは、蓋体３と、捲芯Ｔ２に内嵌される円筒状のスリーブ４Ａと、スリーブ４Ａに内嵌される収容体５Ａと、を備える。
【００４０】
スリーブ４Ａは、第１実施形態のスリーブ４と略同一の構成を有するが、上述した係合凸部４２（図２参照）が省略されている点で異なる。
【００４１】
収容体５Ａは、内部に収容空間５１を規定する筒状部材であって、その外径はスリーブ４Ａの内径よりも若干小さく設定され、軸方向Ｄ１長さがスリーブ４Ａよりも幾分長く設定されている。また、収容体５Ａの外周面には、スリーブ４Ａの軸方向Ｄ１両側に位置する一対のフランジ部５１Ａ,５２Ａが設けられ、これら一対のフランジ部５１Ａ，５２Ａにより収容体５Ａがスリーブ４Ａから脱落するのが防止される。
【００４２】
具体的に、収容体５Ａは、第１部材６Ａと第２部材７Ａとが軸方向Ｄ１に連結されて構成されている。第１部材６Ａは円筒部材であって、その軸方向Ｄ１片側には蓋体３が設けられると共に、上述したフランジ部５１Ａが設けられている。また、第１部材６Ａの他側は開放され、その開口端には環状の係止爪６１Ａが形成されている。
【００４３】
第２部材７Ａは、一端開口有底円筒状であって、外周面には上述したフランジ部５２Ａが設けられている。また、第２部材７Ａの他側は開放され、その開口端には環状の係止爪７１Ａが形成されている。
【００４４】
このように構成された収容体５Ａをスリーブ４Ａに内嵌させるには、第１部材６Ａと第２部材７Ａとをスリーブ４Ａの両側から挿入し、スリーブ４Ａ内部において係止片６１Ａを係止片７１Ａに係止させればよい。このように係止片６１Ａ，７１Ａ同士を係止させると、スリーブ４Ａが一対のフランジ部５１Ａ，５２Ａの間に位置することになり、収容体５Ａがスリーブ４Ａから脱落するのが防止される。
【００４５】
本実施形態における収容ケース１Ａにおいても、上述したのと同様に、蓋体３の外面及び収容体５Ａの底板７２Ａの外面に設けられた指かけ凹部９，９（図１、図３参照）に指を当てて収容ケース１Ａを保持し、この状態で粘着テープＴ３の先端を引っ張って粘着テープＴ３を繰り出せば、スリーブ４Ａが捲芯Ｔ２及び粘着テープＴ３の巻回体と共に収容体５Ａに対して回転し、使用者は粘着テープ巻回体Ｔ又は収容ケース１Ａを途中で持ち替えることなく連続して粘着テープＴ３を繰り出すことができる。
【００４６】
［第３実施形態］
次に、図５〜図６を参照して、本発明の第３実施形態に係る収容ケース１Ｂについて説明する。収容ケース１Ｂは、捲芯Ｔ２に内嵌される収容体５Ｂと、収容体５Ｂの開口部を開閉可能に覆う蓋体３Ｂと、を備える。収容体５Ｂは一端開口有底状であって、その外周面には筒部５０Ｂよりも径方向外方へ張り出す環状の第１フランジ部５１Ｂが設けられている。蓋体３Ｂも同様に一端開口有底状であって、その外周面には筒部３０Ｂよりも径方向外方へ張り出す環状の第２フランジ部３１Ｂが設けられている。第２フランジ部３１Ｂは第１フランジ部５１Ｂよりも若干大径に形成され、第２フランジ部３１Ｂの内面周縁部には環状の切欠き段部３４Ｂが形成されている。
【００４７】
収容体５Ｂの開口端には環状の係止爪５２Ｂが設けられ、蓋体３Ｂの開口端には環状の係止爪３２Ｂが設けられ、係止爪５２Ｂを係止爪３２Ｂに係止させることにより収容体５Ｂと蓋体３Ｂとが軸方向Ｄ１に取り外し可能に連結される。また、収容体５Ｂの底外面５３Ｂ及び蓋体３Ｂの天外面３３Ｂには、上述した指かけ凹部９が形成されている。
【００４８】
このように構成された収容ケース１Ｂを捲芯Ｔ２に嵌めるには、収容体５Ｂと蓋体３とを捲芯Ｔ２の両側から挿入し、捲芯Ｔ２内部において係止爪３２Ｂを係止爪５２Ｂに係止させればよい。このように係止爪３２Ｂ，５２Ｂ同士を係止させると、捲芯Ｔ２が一対のフランジ部３１Ｂ，５１Ｂの間に位置し、収容ケース１Ｂが捲芯Ｔ２から脱落するのが防止される。
【００４９】
そして、このように収容ケース１Ｂが捲芯Ｔ２に内嵌された状態で粘着テープＴ３を使用する場合には、指かけ凹部９に指を当てて収容ケース１Ｂを保持し、この状態で粘着テープＴ３の先端を引っ張ればよい。このように粘着テープＴ３の先端を引っ張ると、粘着テープ巻回体Ｔが収容ケース１Ｂに対して相対的に回転するので、使用者は粘着テープ巻回体Ｔ又は収容ケース１Ｂを途中で持ち替えることなく連続して粘着テープＴ３を繰り出すことができる。なお、収容体５Ｂの外周面に周方向に延びる複数の環状溝を形成してもよい。このように環状溝を設けることにより、収容ケース１Ｂと粘着テープ巻回体Ｔとの摩擦を小さくでき、収容ケース１Ｂの粘着テープ巻回体Ｔに対する回転をよりスムーズにできる。
【００５０】
また、収容ケース１Ｂの内部空間５１に文房具等を出し入れする際には、係止爪３２Ｂと係止爪５２Ｂとの係止状態を解除して、蓋体３Ｂを収容体５Ｂから取り外せばよい。このとき、第２フランジ部３１Ｂは第１フランジ部５１Ｂよりも若干大径に形成されていると共に、第２フランジ部３１Ｂの内面周縁部には切欠き段部３４Ｂが形成されているので、使用者は収容ケース１Ｂの何れの側が蓋体３Ｂであるかの判断を容易に行うことができる。また、切欠き段部３４Ｂが指掛け部として機能し、使用者はこの切欠き段部３４Ｂに指をかけて引っ張ることで蓋体３Ｂを容易に開けることができる。
【００５１】
［第４実施形態］
次に、図７を参照して、本発明の第４実施形態に係る収容ケース１Ｃについて説明する。本実施形態に係る収容ケース１Ｃは、上述した収容ケース１Ｂと上述したスリーブ４Ａとを組み合わせて構成されている。即ち、収容ケース１Ｃは、上述した蓋体３Ｂと、収容体５Ｂと、スリーブ４Ａと、を備える。かかる構成において、スリーブ４Ａを捲芯Ｔ２に嵌め込んだ後に、蓋体３Ｂと収容体５Ｂとをスリーブ４Ａの両側から挿入し、スリーブ４Ａ内部において係止爪３２Ｂを係止爪５２Ｂに係止させると、スリーブ４Ａ及び捲芯Ｔ２が一対のフランジ部３１Ｂ，５１Ｂの間に位置した状態が維持される。
【００５２】
粘着テープＴ３を使用する場合には、指かけ凹部９に指を当てて蓋体３Ｂ及び収容体５Ｂを保持し、粘着テープＴ３の先端を引っ張ると、粘着テープ巻回体Ｔ及びスリーブ４Ａが収容体５Ｂに対して相対的に回転しながら粘着テープＴ３が繰り出される。このように、収容体５Ｂはスリーブ４Ａに対して回転するため、収容体５Ｂの回転がスムーズになり、粘着テープＴ３の繰り出しもスムーズにできる。
【００５３】
［第５実施形態］
次に、図８及び図９を参照して、本発明の第５実施形態に係る収容ケース１Ｄについて説明する。本実施形態の収容ケース１Ｄは、上述した収容ケース１Ｂと略同一の構成を有するが、蓋体が両側に設けられている点で異なる。
【００５４】
より具体的に、収容ケース１Ｄは、捲芯Ｔ２に内嵌される筒体５Ｄを備え、その両側開口部が一対の蓋体３Ｂにより開閉自在に覆われる。また筒体５Ｄの両側開口端には環状の係合爪５２Ｂが一対設けられ、蓋体３Ｂの係合爪３２Ｂを係合爪５２Ｂに係合させることにより、蓋体３Ｂが筒体５Ｄに装着される。
【００５５】
このように構成された収容ケース１Ｄにおいても、上述した収容ケース１Ｃと同様の効果が得られる。また、本実施形態においては、蓋体３Ｂが軸方向Ｄ１両側に設けられているので、軸方向Ｄ１の何れの側からでも文房具等の出し入れを行うことができる。更に、指かけ凹部９に指を当てて粘着テープＴ３の先端を引っ張ると、粘着テープ巻回体Ｔが筒体５Ｄに対して回転すると共に、蓋体３Ｂが筒体５Ｄに対して回転し、粘着テープＴ３の繰り出しをスムーズにできる。
【００５６】
なお、本実施形態においては、筒体５Ｄと一方の蓋体３Ｂ（他の筒体）によって収容体  が構成される。また、筒体５Ｄの外周面に周方向に延びる環状溝を設けてもよい。
【００５７】
［第６実施形態］
次に、図１０及び図１１を参照して、第６実施形態に係るケース部品について説明する。本実施形態に係るケース部品１００は、第１蓋部材２００と第２蓋部材３００とを備え、これら第１及び第２蓋部材２００，３００が捲芯Ｔ２の両側に装着されて用いられる。
【００５８】
第１蓋部材２００は、捲芯Ｔ２の開口部を覆う側板部２０１と、側板部２０１の内面から延出する環状の挿入部２０２と、を有し、側板部２０１の周縁部は挿入部２０２よりも径方向外側に延出するフランジ部２０１ａを構成している。フランジ部２０１ａの内面周縁部には環状の切欠き段部２０１ｂが形成されている。また、挿入部２０２の外周面先端部には外方に突出する環状の突出部２０２ａが形成され、突出部２０２ａの先端は内側（図１０、図１１における下方）に向かうに従い径方向内側に傾斜する傾斜面とされている。更に、挿入部２０２には周方向に間隔を空けて複数の切欠き部２０２ｂが形成されている。
【００５９】
第２ケース部材３００は、捲芯Ｔ２の開口部を覆う側板部３０１と、側板部３０１の内面から延出する環状の挿入部３０２と、を有し、側板部３０１の周縁部は挿入部３０２よりも径方向外側に延出するフランジ部３０１ａを構成している。挿入部３０２の外周面先端部には外方に突出する環状の突出部３０２ａが形成され、突出部３０２ａの先端は内側（図１０、図１１における上方）に向かうに従い径方向内側に傾斜する傾斜面とされている。
【００６０】
このように構成された第１及び第２蓋部材２００，３００の挿入部２０２，３０２を捲芯Ｔ２の開口部に軸方向Ｄ１両側から挿入すると、突出部２０２ａ，３０２ａが捲芯Ｔ２の内面に押圧することによって第１及び第２蓋部材２００，３００が捲芯Ｔ２から脱落するのが防止されると共に、第１及び第２蓋部材２００，３００と捲芯Ｔ２により収容空間１５０が規定され、この収容空間１５０に文房具等を収容することができる。ここで、フランジ部２０１ａ，３０１ａは、その外径が捲芯Ｔ２の内径よりも大きく設定され、第１及び第２蓋部材２００，３００を捲芯Ｔ２に装着する際にストッパとして機能し、第１及び第２蓋部材２００，３００が所定量を超えて捲芯Ｔ２内部に挿入されるのを防止する。
【００６１】
また、第１蓋部材２００を取り外すことにより収容空間１５０に対して文房具類を自由に出し入れすることができる。ここで、第１蓋部材２００のフランジ部２０１ａには切欠き段部２０１ｂが設けられているので、使用者はこの切欠き段部２０１ｂに指をかけて引っ張ることで第１蓋部材２００を容易に取り外すことができる。また、第１蓋部材２００の挿入部２０２には切欠き部２０２ｂが形成されているので、第１蓋部材２００を捲芯Ｔ２に装着する際に挿入部２０２の先端が径方向内側に撓りやすくなり、第１蓋部材２００の捲芯Ｔ２に対する装着を容易にできる。
【００６２】
以上、本発明の実施形態に係る収容ケース及びケース部品について添付の図面を参照して説明したが、本発明はかかる実施形態に限定されず、本発明の範囲を逸脱することなく種々の変形乃至修正が可能である。
【００６３】
例えば、上記実施形態においては、収容ケース１の片面のみに蓋体３を設けたが、図１２に示す様に、収容ケース１（収容体５）の他面にも蓋体３’を設けてもよく、この場合には、双方の蓋体３,３’に指かけ凹部９,９を設ければよい。収容ケース１Ａについても同様である。
【００６４】
また、上記各実施形態では収容ケース１（１Ａ、１Ｂ、１Ｃ、１Ｄ）の両面に指かけ凹部９,９を１個ずつ設けたが、複数個ずつ設けても良く、また図１３に示す様に複数の指かけ凹部９ａ,９ａを連通させてもよい。この場合には、指かけ凹部９ａ,９ａを連通させる連通凹部９ｂの深さは、略半球状の指かけ凹部９ａの最大深さよりも浅く設置しておくのが好ましい。
【００６５】
更に、第１及び第２実施形態においては蓋体３を収容体５（５Ａ）と一体に形成したが、収容体５（５Ａ）とは別部材として形成してもよい。また、第１及び第２実施形態では蓋体３をその基端部３１を中心に回動させて開閉させるように構成したが、蓋体の形態はこれに限定されず、例えばキャップ状の蓋体を用いてもよい。
【００６６】
第１実施形態においては、係合凸部４２を周方向Ｄ２に連続して延びる環状に形成したが、係合凸部の形態はこれに限定されず、例えば、スリーブ４の内周面から突出する複数の凸部を周方向Ｄ２に環状に配列させて構成してもよい。
【００６７】
また、上記実施形態においては、滑止手段を軸方向Ｄ１に延びる筋状の複数の凸部４１から構成したが、スリーブ４の捲芯Ｔ２に対する回転が阻止できれば他の形態であってもよい。更に、必要に応じて図１２に示す仕切り部材１０ａや仕切り部材１０ｂ等を用いて収容空間５１を複数の収容領域へ仕切ってもよい。
【００６８】
上記実施形態では、蓋体３Ｂと収容体５Ｂ又は筒体５Ｄとの連結を係合爪を用いて行ったが、ネジ構造により連結する構成であってもよい。第６実施形態では、ケース部品１００を第１蓋部材２００と第２蓋部材３００との組み合わせとしたが、一対の蓋部材２００，２００で構成してもよい。
【符号の説明】
【００６９】
１，１Ａ，１Ｂ，１Ｃ，１Ｄ  収容ケース
３，３Ｂ  蓋体
４，４Ａ  スリーブ
５，５Ａ，５Ｂ，収容体
５Ｄ  筒体
６  第１部材
７  第２部材
９  指かけ凹部
４２  係合凸部
５２  係合凹部
６３  係止凸部
７４  係止片
Ｔ  粘着テープ巻回体
Ｔ２  捲芯
Ｔ３  粘着テープ
【図１】
0006754990.tif 000002
【図２】
0006754990.tif 000003
【図３】
0006754990.tif 000004
【図４】
0006754990.tif 000005
【図５】
0006754990.tif 000006
【図６】
0006754990.tif 000007
【図７】
0006754990.tif 000008
【図８】
0006754990.tif 000009
【図９】
0006754990.tif 000010
【図１０】
0006754990.tif 000011
【図１１】
0006754990.tif 000012
【図１２】
0006754990.tif 000013
【図１３】
0006754990.tif 000014